(57)【要約】【課題】標準時刻電波信号の時刻コードフォーマットを変換できる時刻信号変換装置を提供する。【解決手段】内部時計１５１と、標準時刻電波送信局２から送信された標準時刻電波信号を受信する受信系１１と、受信系１１が受信した標準時刻電波信号、および、設定部１４により設定されメモリ１３が記憶する時刻コードフォーマット情報ｄ＿ｔｃｆ＿１に基づいて内部時計１５１が計時する計時時刻を修正し、内部時計１５１が計時する計時時刻、および設定部１４により設定され、メモリ１３が記憶する時刻コードフォーマット情報ｄ＿ｔｃｆ＿２に基づいて標準時刻電波信号を生成するための時刻信号Ｓ１５を生成する制御回路１５と、制御回路１５が生成した時刻信号Ｓ１５に基づいて時刻コードフォーマット情報ｄ＿ｔｃｆ＿２に応じた標準時刻電波信号を送信する送信系１２とを設ける。【選択図】  図１
2004354304.tif 000002
【特許請求の範囲】
【請求項１】
第１の時刻コードフォーマットに基づいて生成された第１の標準時刻電波信号を受けて時刻修正を行う電波修正時計用に、前記第１の標準時刻電波信号を送信する時刻信号変換装置であって、
内部時計と、
前記第１の時刻コードフォーマットとは異なる第２の時刻コードフォーマットに基づいて生成された第２の標準時刻電波信号を受信する受信手段と、
前記受信手段が受信した第２の標準時刻電波信号および前記第２の時刻コードフォーマットに基づいて前記内部時計が計時する計時時刻を修正し、前記内部時計が計時する計時時刻および前記第１の時刻コードフォーマットに基づいて、前記第１の標準時刻電波信号を生成するための時刻信号を生成する制御手段と、
前記制御手段が生成した時刻信号に基づいて前記第１の標準時刻電波信号を送信する送信手段と
を有する時刻信号変換装置。
【請求項２】
前記受信手段は、少なくとも前記第２の時刻コードフォーマットに対応した共振周波数が設定可能な第１のアンテナ部を含み、
前記送信手段は、少なくとも前記第１の時刻コードフォーマットに対応した共振周波数が設定可能な第２のアンテナ部を含み、
前記制御手段は、前記第１のアンテナ部が前記第２の時刻コードフォーマットに対応した共振周波数をもって受信した前記第２の標準時刻電波信号および前記第２の時刻コードフォーマットに基づいて前記内部時計が計時する計時時刻を修正し、前記内部時計が計時する計時時刻および前記第１の時刻コードフォーマットに基づいて前記時刻信号を生成し、
前記送信手段は、前記時刻信号に基づいて前記第１の時刻コードフォーマットに対応した共振周波数が設定された第２のアンテナ部から前記第１の標準時刻電波信号を送信する
請求項１に記載の時刻信号変換装置。
【請求項３】
前記第２のアンテナ部は、少なくとも前記第１のアンテナ部の受信指向特性と直交する送信指向特性を有する
請求項２に記載の時刻信号変換装置。
【請求項４】
前記送信手段は、前記制御手段が生成した時刻信号に基づいて、前記第１の時刻コードフォーマットに対応した周波数の搬送波を変調して前記第１の標準時刻電波信号を送信する
請求項１〜３のいずれかに記載の時刻信号変換装置。
【請求項５】
前記受信手段は、前記第２の時刻コードフォーマットに対応した周波数の搬送波の前記第２の標準時刻電波信号を検波し、
前記制御手段は、前記受信手段による検波の結果および前記第２の時刻コードフォーマットに基づいて前記内部時計が計時する計時時刻を修正する
請求項１〜４のいずれかに記載の時刻信号変換装置。
【発明の詳細な説明】
【０００１】
【発明の属する技術分野】
本発明は、例えば標準時刻電波信号を受けて時刻修正を行う電波修正時計用に、標準時刻電波信号を送信する時刻信号変換装置に関するものである。
【０００２】
【従来の技術】
従来、時刻信号を含む信号を受信して時刻修正を行う電波修正時計が知られている。
また、その信号の受信強度が弱いエリアに設置された電波修正時計に、標準時刻送信局から送信される時刻信号を含む信号を受信して、時刻信号を所定の搬送波で変調して増幅して出力する時刻信号中継装置が知られている（例えば、特許文献１参照）。
【０００３】
【特許文献１】
特開平５−３３１７０号公報（第１−２図）
【０００４】
【発明が解決しようとする課題】
ところで、標準時刻送信局が標準電波を標準時刻信号を変調して送信する場合、標準時刻送信局それぞれで標準電波の周波数や標準電波の送信形式（時刻コードフォーマットとも言う）が異なる場合がある。
所定の時刻コードフォーマットで送信される信号のみにより時刻修正を行う電波修正時計は、異なる時刻コードフォーマットで送信された信号を受信しても適切に時刻修正を行うことができない。
上述した従来の時刻中継装置のように標準時刻信号を所定の搬送波で変調して送信したとしても、上述の電波修正時計では時刻コードフォーマットが異なるために、適切に時刻修正を行うことができない。
このため、時刻コードフォーマットを変換できる時刻信号変換装置が望まれている。
【０００５】
本発明は、かかる事情に鑑みてなされたものであり、その目的は、標準時刻電波信号の時刻コードフォーマットを変換できる時刻信号変換装置を提供することにある。
【０００６】
【課題を解決するための手段】
前記目的を達成するために、本発明の観点は、第１の時刻コードフォーマットに基づいて生成された第１の標準時刻電波信号を受けて時刻修正を行う電波修正時計用に、前記第１の標準時刻電波信号を送信する時刻信号変換装置であって、内部時計と、前記第１の時刻コードフォーマットとは異なる第２の時刻コードフォーマットに基づいて生成された第２の標準時刻電波信号を受信する受信手段と、前記受信手段が受信した第２の標準時刻電波信号および前記第２の時刻コードフォーマットに基づいて前記内部時計が計時する計時時刻を修正し、前記内部時計が計時する計時時刻および前記第１の時刻コードフォーマットに基づいて、前記第１の標準時刻電波信号を生成するための時刻信号を生成する制御手段と、前記制御手段が生成した時刻信号に基づいて前記第１の標準時刻電波信号を送信する送信手段とを有する。
【０００７】
本発明の観点によれば、受信手段では、第１の時刻コードフォーマットとは異なる第２の時刻コードフォーマットに基づいて生成された第２の標準時刻電波信号を受信する。
制御手段では、受信手段が受信した第２の標準時刻電波信号および第２の時刻コードフォーマットに基づいて内部時計が計時する計時時刻を修正し、内部時計が計時する計時時刻および第１の時刻コードフォーマットに基づいて、第１の標準時刻電波信号を生成するための時刻信号を生成する。
送信手段では、制御手段が生成した時刻信号に基づいて第１の標準時刻電波信号を送信する。
【０００８】
【発明の実施の形態】
本発明の実施形態に係る時刻信号変換装置は、例えば、第１の時刻コードフォーマットに基づいて生成された第１の標準時刻電波信号を受けて時刻修正を行う電波修正時計用に、第１の時刻コードフォーマットとは異なる第２の時刻コードフォーマットに基づいて生成された第２の標準時刻電波信号を受信して、内部時計で計時される計時時刻を修正して、内部時計が計時する計時時刻および第１の時刻コードフォーマットに基づいて第１の標準時刻電波信号を生成するための時刻信号を生成して、その時刻信号に基づいて第１の標準時刻電波信号を生成して送信する。
以下、図を参照しながら詳細に説明する。
【０００９】
図１は、本発明に係る時刻信号変換装置を適用した時刻信号変換システムの一実施形態を示すブロック図である。
本実施形態に係る時刻信号変換システム１００は、図１に示すように、時刻信号変換装置１、標準時刻電波送信局２、および電波修正時計３により構成されている。
標準時刻電波送信局２は、例えば標準時刻を計時する原子時計を有し、その標準時刻を所定の時刻コードフォーマットに基づいて標準時刻電波信号を生成し、その標準時刻電波信号を送信する。
【００１０】
図２は、本実施形態に係る時刻コードフォーマットの第１具体例を説明するための図である。図２（ａ）は日本国のＪＪＹ局から、毎時１５分および毎時４５分以外に送信される時刻コードフォーマットを示す図である。図２（ｂ）は日本のＪＪＹ局から、毎時１５分および毎時４５分に送信される時刻コードフォーマットを示す図である。図２（ｃ）は日本のＪＪＹ局から送信される標準時刻電波信号の送信形式を示す図である。
【００１１】
標準時刻電波送信局２は、例えば独立行政法人通信総合研究所（ＣＲＬ）のもとで運用されており、図２に示すような時刻コードフォーマットに基づいて周波数４０ｋＨｚまたは周波数６０ｋＨｚの標準電波を送信する。
標準時刻電波送信局２は、例えば図２（ｃ）に示すように、長波、例えば４０ｋＨｚまたは６０ｋＨｚを搬送波として、時刻コードを送信する。
【００１２】
具体的には、時刻コードは０，１，Ｐの３種類の信号パターンからなり、１ｓｅｃの１信号パターン中の１００％振幅期間幅によって区別される。
変調方式は最大値１００％，最小値１０％の振幅変調であり、時刻コード０，１，Ｐはそれぞれ最大値１００％が８００ｍｓ，５００ｍｓ，２００ｍｓのパルス信号となっている。
パルスの立ち上がりの５５％値（１０％値と１００％値の中央）が標準時の１秒信号に同期する。
【００１３】
Ｐコードは、１フレームに数カ所あり、正分（０秒）、９秒、１９秒、２９秒、３９秒、４９秒、５９秒に現れる。このＰコードが続けて現れるのは１フレーム中１回で５９秒、０秒の時だけで、この続けて現れる位置が正分位置となる。
【００１４】
また、図２（ａ），（ｂ）に示すように、送信情報は、分・時・１月１日からの積算日となっている。
時刻データは、１ｂｉｔ／秒で１分間を１フレームとしており、このフレーム内に前述した分情報、時情報、１月１日からの積算日情報、年情報（西暦下２桁）がＢＣＤコードとして含む。
また、時刻データは、日曜〜土曜それぞれを０〜６それぞれに割り当てた曜日情報、呼び出し符号、停波情報等を含む。
【００１５】
電波修正時計３は、例えば、標準時刻電波送信局２の時刻コードフォーマットと異なる時刻コードフォーマットに基づいて生成された標準時刻電波信号を受信し、その標準時刻電波信号に基づいて時刻修正を行う。
【００１６】
図３は、本実施形態に係る時刻コードフォーマットの第２具体例を説明するための図である。図３（ａ）はドイツ国のＤＣＦ７７局から送信される時刻コードフォーマットを示す図である。図３（ｂ）はドイツ国のＤＣＦ７７局から送信される標準時刻電波信号の送信形式を示す図である。
電波修正時計３は、例えば図３に示すドイツ局の時刻コードフォーマットに基づいて生成された標準時刻電波信号を受信し、その標準時刻電波信号に基づいて時刻修正を行う。
【００１７】
例えば、ドイツ国の国立度量衡研究所のＰＴＢ（Ｐｈｙｓｉｋａｌｉｃｈ−ｔｅｃｈｎｉｓｃｈｅ  Ｂｕｎｄｅｓａｎｔａｌｔ  ）に属す標準時報局ＤＣＦ７７は、図３に示す時刻コードフォーマットに基づいた標準時刻電波信号を送信する。
搬送波の周波数は７７．５ｋＨｚであり、時刻コードフォーマットは、図３（ｂ）に示すように、５９秒目を除く各秒の始まりから、１００ｍｓまたは２００ｍｓの期間、搬送波の振幅が２５％にされるように振幅変調される。
この搬送波の振幅の減少開始点が標準時の秒信号に同期する。５９秒目の秒信号がないのは、次の分信号を示している。
時刻コード０，１は、それぞれ振幅２５％が１００ｍｓ，２００ｍｓのパルス信号となっている。
【００１８】
また図３（ａ）に示すように、時刻データは１ｂｉｔ／秒で１分間を１フレームとしており、このフレーム内に分情報、時情報、暦情報、曜日情報、月情報、年情報がＢＣＤコードを含む。
Ｍは分マーカ（１ｍｓ）、Ｒは予備アンテナ使用（２００ｍｓ）、Ａ１は通常時間と夏時間の変更予告、Ｚ１，Ｚ２は通常時間と夏時間の表示であり、通常時間（Ｚ１：１００ｍｓ、Ｚ２：２００ｍｓ）、夏時間（Ｚ１：２００ｍｓ、Ｚ２：１００ｍｓ）、Ａ１はうるう秒の表示（２００ｍｓのとき）、Ｓは時刻コードの開始ビット（２００ｍｓ）、Ｐ１，Ｐ２，Ｐ３は偶数パリティービットを示す。
【００１９】
本実施形態に係る時刻信号変換装置１は、図１に示すように、受信系１１、送信系１２、メモリ１３、設定部１４、制御回路１５、および内部時計１５１を有する。
受信系１１、送信系１２、メモリ１３、設定部１４、および内部時計１５１は、制御回路１５に接続されている。
【００２０】
受信系１１は本発明に係る受信手段に相当し、送信系１２は本発明に係る送信手段に相当し、制御回路１５は本発明に係る制御手段に相当する。
本実施形態では、制御回路１５と内部時計１５１とを分けて図示したが、この形態に限られるものではない。例えば制御回路１５の内部に内部時計１５１が含まれる形態であってもよい。
【００２１】
受信系１１は、例えば、標準時刻電波送信局２から送信された所定の時刻コードフォーマットに基づいて生成された標準時刻電波信号を受信する。
受信系１１は、詳細には、例えば図１に示すようにアンテナ部１１１、ＲＦ（Ｒａｄｉｏ  ｆｒｅｑｕｅｎｃｙ  ）アンプ１１２、検波部１１３を主構成要素として有する。
アンテナ部１１１は、例えば標準時刻電波信号の複数の時刻コードフォーマットに対応した共振周波数が設定可能であり、受信した標準時刻電波信号を信号Ｓ１１１としてＲＦアンプ１１２に出力する。また、アンテナ部１１１は、少なくとも標準時刻電波送信局２から送信される所定の時刻コードフォーマットに対応する共振周波数が設定可能である。
【００２２】
アンテナ部１１１は、例えばフェライトアンテナ部１１１ａおよび共振周波数設定部１１１ｂを有する。
フェライトアンテナ部１１１ａは、例えば後述する少なくとも送信系１２のアンテナ部１２１の送信指向特性と直交する受信指向特性を有する。
詳細には、フェライトアンテナ部１１１ａは、少なくとも送信系１２のアンテナ部１２１の送信指向性としての送信利得が最大の方向と直交する、受信指向特性としての受信利得が最大の方向を有する。
共振周波数設定部１１１ｂは複数のキャパシタを有する。
【００２３】
フェライトアンテナ部１１１ａおよび共振周波数設定部１１１ｂは、例えば設定信号ＣＴＬ１に基づいて複数のキャパシタを選択することにより所定の共振周波数を設定する。
【００２４】
ＲＦ（Ｒａｄｉｏ  ｆｒｅｑｕｅｎｃｙ  ）アンプ１１２は、アンテナ部１１１からの高周波信号Ｓ１１１を増幅して信号１１２として検波部１１３に出力する。
【００２５】
検波部１１３は、ＲＦアンプ１１２からの信号Ｓ１１２に基づいて検波処理を行い、標準時刻電波信号に含まれる時刻コードに応じた信号Ｓ１１３を制御回路１５に出力する。
詳細には例えば、検波部１１３は、制御信号ＣＴＬ２に基づいて、所定の時刻コードフォーマットに対応した周波数の搬送波の標準時刻電波信号を検波処理を行い、標準時刻電波信号に含まれる時刻コードに応じた信号Ｓ１１３を制御回路１５に出力する。
【００２６】
送信系１２は、後述する制御回路１５が生成した時刻信号Ｓ１５に基づいて、電波修正時計３が解読可能な時刻コードフォーマットの標準時刻電波信号を送信する。
送信系１２は、例えば、アンテナ部１２１、ＲＦアンプ１２２、発振部１２３、および変調部１２４を有する。
アンテナ部１２１は、例えば標準時刻複数の時刻コードフォーマットに対応した共振周波数が設定可能であり、少なくとも電波修正時計３が解読可能な時刻コードフォーマットに対応した共振周波数が設定可能であり、ＲＦアンプ１２２から出力された信号１２２に基づいて標準時刻電波信号を送信する。
【００２７】
アンテナ部１２１は、例えば、ループアンテナ１２１ａ、および共振周波数設定部１２１ｂを有する。
ループアンテナ部１２１ａは、例えば、少なくともアンテナ部１１１の受信指向特性と直交する送信指向特性を有する。
詳細には、ループアンテナ部１２１ａは、少なくとも受信系１１のアンテナ部１１１の受信指向性としての受信利得が最大の方向と直交する送信指向特性としての送信利得が最大の方向を有する。
共振周波数設定部１２１ｂは複数のキャパシタを有する。
【００２８】
ループアンテナ部１２１ａおよび共振周波数設定部１２１ｂは、例えば設定信号ＣＴＬ３に基づいて複数のキャパシタを選択することにより所定の共振周波数を設定する。
【００２９】
ＲＦアンプ１２２は、変調部１２４から出力される信号Ｓ１２４を増幅して信号Ｓ１２２としてアンテナ部１２１に出力する。
発振部１２３は、制御回路１５からの制御信号ＣＴＬ４に基づいて、所定の周波数の信号Ｓ１２３を変調部１２４に出力する。
【００３０】
変調部１２４は、制御回路１５が生成した時刻信号Ｓ１５に基づいて、発振部１２３からの所定の周波数の信号Ｓ１２３を搬送波を変調して信号１２４としてＲＦアンプ１２２に出力する。
例えば、発振部１２３では、制御回路１５から電波修正時計３が解読可能な時刻コードフォーマットに対応した周波数の搬送波を生成させる制御信号ＣＴＬ４を受けて、その周波数の信号Ｓ１２３を変調部１２４に出力する。
【００３１】
メモリ１３は、例えば時刻コードフォーマットに関する情報ｄ＿ｔｃｆや、その時刻コードフォーマットｄ＿ｔｃｆに対応する搬送波の周波数情報ｄ＿ｆを記憶する。
メモリ１３は、例えば複数の時刻コードフォーマットに関する情報ｄ＿ｔｃｆ、例えば時刻コードフォーマット情報ｄ＿ｔｃｆ＿１〜３、および時刻コードフォーマット情報ｄ＿ｔｃｆ１〜３それぞれに対応する搬送波の周波数情報ｄ＿ｆ＿１〜３を記憶する。
【００３２】
例えば時刻コードフォーマット情報ｄ＿ｔｃｆ＿１には、上述した図２に示したＪＪＹ局から送信される時刻コードフォーマットに関する情報を含み、対応する搬送波の周波数情報ｄ＿ｆ＿１には、搬送波の周波数４０ｋＨｚや６０ｋＨｚを示す情報を含む。
【００３３】
例えば時刻コードフォーマット情報ｄ＿ｔｃｆ＿２は、上述した図３に示したＤＣＦ７７局から送信される時刻コードフォーマットに関する情報を含み、対応する搬送波の周波数情報ｄ＿ｆ＿２には、搬送波の周波数７７．５ｋＨｚを示す情報を含む。
【００３４】
図４は、本実施形態に係る時刻コードフォーマットの第３具体例を説明するための図である。図４（ａ）はアメリカ合衆国のＷＷＶＢ局から送信される時刻コードフォーマットを示す図である。図４（ｂ）はアメリカ合衆国のＷＷＶＢ局から送信される標準時刻電波信号の送信形式を示す図である。
【００３５】
例えば時刻コードフォーマット情報ｄ＿ｔｃｆ＿３は、図４に示したＷＷＶＢ局から送信される時刻コードフォーマットに関する情報を含み、対応する搬送波の周波数情報ｄ＿ｆ＿３には、搬送波の周波数６０ｋＨｚを示す情報を含む。
【００３６】
ＷＷＶＢ局の時刻コードフォーマットは、図４（ｂ）に示すように、各秒の始まりから、２００ｍｓ，５００ｍｓ，８００ｍｓの期間、搬送波の振幅が−１０ｄＢになるように振幅変調される。
この搬送波の振幅の減少開始点が標準時の秒信号に同期する。
時刻コード０，１，Ｐは、それぞれ振幅−１０ｄＢが２００ｍｓ，５００ｍｓ，８００ｍｓのパルス信号となっている。
Ｐコードは、１フレームに数カ所あり、正分（０秒）、９秒、１９秒、２９秒、３９秒、４９秒、５９秒に現れる。このＰコードが続けて現れるのは１フレーム中１回で５９秒、０秒の時だけで、この続けて現れる位置が正分位置となる。
【００３７】
また図４（ａ）に示すように、時刻データは１ｂｉｔ／秒で１分間を１フレームとしており、このフレーム内に分情報、時情報、日情報、ＵＴ１指標（ＳＩＧＮ）、ＵＴ１修正情報（ＣＯＲＲＥＣＴＩＯＮ）、うるう年情報（ｌｙｉｂ：ＬＥＡＰ  ＹＥＡＲ  ＩＮＤＩＣＡＴＯＲ  ＢＩＴ）、警告情報（ｌｓｗｄ：ｌｅａｐ  ｓｅｃｏｎｄ  ｗａｒｎｉｎｇ  ｂｉｔ）、夏時間情報（ｄａｙｌｉｇｈｔ  ｓａｖｉｎｇ  ｔｉｍｅ  ｂｉｔｓ  ）等を有する。
【００３８】
設定部１４は、例えば、受信系１１で受信する標準時刻電波信号の時刻コードフォーマットやそれに対応する搬送波の周波数、および送信系１２から送信する標準時刻電波信号の時刻コードフォーマットやそれに対応する搬送波の周波数を設定し、例えば信号Ｓ１４として制御回路１５に出力する。例えば、制御回路１５は、その信号Ｓ１４に基づいて受信系１１や送信系１２の時刻コードフォーマットやそれに対応する搬送波の周波数を設定する。
【００３９】
制御回路１５は、例えば、受信系１１が受信した標準時刻電波信号、およびメモリ１３が記憶する時刻コードフォーマット情報ｄ＿ｔｃｆに基づいて内部時計１５１が計時する計時時刻を修正する。
【００４０】
また、制御回路１５は、内部時計１５１が計時する計時時刻、およびメモリ１３が記憶する時刻コードフォーマット情報ｄ＿ｔｃｆに基づいて、電波修正時計３が解読可能な標準時刻電波信号を生成するための時刻信号Ｓ１５を生成し、送信系１２に出力する。
【００４１】
また、制御回路１５は、例えば、アンテナ部１１１、標準時刻電波送信局２の時刻コードフォーマットに対応した共振周波数をもって受信した標準時刻電波信号、およびメモリ１３が記憶する、それに対応する時刻コードフォーマットｄ＿ｔｃｆに基づいて内部時計１５１が計時する計時時刻を修正する。
内部時計１５１は、例えば所定の振動数の信号を生成する水晶発振器を有し、その信号に基づいて計時時刻を計時する。例えば内部時計１５１は、秒情報、分情報、時情報、曜日情報、月情報、年情報等を計時する。
【００４２】
図５は、図１に示した本発明に係る時刻信号変換装置を適用した時刻信号変換システムの動作を説明するためのフローチャートである。図１，５を参照しながら、時刻信号変換装置の動作を中心に説明する。
例えば、電波修正時計３は、搬送波の周波数が７７．５ｋＨｚ、および図３に示す時刻コードフォーマットに基づいて生成された標準時刻電波信号を受けて時刻修正を行う。標準時刻電波送信局２は、搬送波の周波数が４０ｋＨｚ、および図２に示す時刻コードフォーマットに基づいて標準時刻電波信号を生成して送信する。
このため、電波修正時計３は、標準時刻電波送信局２から送信される標準時刻電波信号を解読できていない状態である。
【００４３】
ステップＳＴ１において、時刻信号変換装置１の電源をオンする。
設定部１４により、受信系１１で受信する標準時刻電波信号の時刻コードフォーマットやそれに対応する搬送波の周波数４０ｋＨｚ、および送信系１２から送信する標準時刻電波信号の時刻コードフォーマットやそれに対応する搬送波の周波数７７．５ｋＨｚが設定され、信号Ｓ１４として制御回路１５に出力される。
【００４４】
制御回路１５では、その信号Ｓ１４に基づいて制御信号ＣＴＬ１をアンテナ部１１１に出力し、フェライトアンテナ部１１１ａおよび共振周波数設定部１１１ｂでは、例えば設定信号ＣＴＬ１に基づいて複数のキャパシタを選択することにより４０ｋＨｚの共振周波数を設定する。
【００４５】
また、制御回路１５では、その信号Ｓ１４に基づいて制御信号ＣＴＬ３をアンテナ部１２１に出力し、ループアンテナ部１２１ａおよび共振周波数設定部１２１ｂでは、例えば設定信号ＣＴＬ３に基づいて複数のキャパシタを選択することにより７７．５ｋＨｚの共振周波数を設定する。
【００４６】
ステップＳＴ２では、制御回路１５では、受信系１１に標準時刻電波信号を受信させる。アンテナ部１１１では設定された時刻コードフォーマットに対応した共振周波数をもって受信した、標準時刻電波送信局２から送信された標準時刻電波信号が信号Ｓ１１１としてＲＦアンプ１１２に出力される。
ＲＦアンプ１１２では信号Ｓ１１１を増幅して信号Ｓ１１２として検波部１１３に出力する。
検波部１１３では、信号Ｓ１１２および制御信号ＣＴＬ２に基づいて、標準時刻電波送信局２の第２の時刻コードフォーマットに対応した周波数の搬送波の標準時刻電波信号を検波処理し信号Ｓ１１３として制御回路１５に出力する。
【００４７】
制御回路１５では、設定部１４により設定され、メモリ１３が記憶する時刻コードフォーマット情報ｄ＿ｔｃｆ＿１に基づいて、信号Ｓ１１３をデコードして時刻情報を抽出し、その時刻情報に基づいて、内部時計１５１が計時する計時時刻を修正する。
【００４８】
ステップＳＴ３において、内部時計１５１は計時時刻をインクリメントする。
【００４９】
ステップＳＴ４において、制御回路１５では、内部時計１５１が計時する計時時刻が、予め設定された標準時刻電波信号の受信時刻、例えば受信状態のよい午前２時３６分であるか否か判別され、設定時刻である場合には、ステップＳＴ２と同様に、標準時刻電波送信局２からの標準時刻電波信号を受信して、内部時計１５１を修正し（ＳＴ５）、ステップＳＴ６の処理に進む。
【００５０】
一方、ステップＳＴ４の判別において、制御回路１５では、内部時計１５１が計時する計時時刻が、予め設定された標準時刻電波信号の受信時刻でない場合にも、ステップＳＴ６の処理に進む。
【００５１】
ステップＳＴ６において、制御回路１５では、内部時計１５１が計時する計時時刻、および設定部１４により設定された、メモリ１３が記憶する時刻コードフォーマットｄ＿ｔｃｆ＿２に基づいて標準時刻電波信号を生成するための時刻信号Ｓ１５を生成する。
【００５２】
制御回路１５は、発振部１２３に設定部１４により設定された、メモリ１３が記憶する時刻コードフォーマットｄ＿ｔｃｆ＿２に対応する周波数７７．５ｋＨｚの搬送波を生成させる制御信号ＣＴＬ４出力する。発振部１２３は、信号ＣＴＬ４に基づいて、その周波数の信号Ｓ１２３を変調部１２４に出力する。
【００５３】
変調部１２４では、時刻信号Ｓ１５に基づいて、発振部１２３からの所定の周波数の信号Ｓ１２３を搬送波を変調して信号１２４としてＲＦアンプ１２２に出力する。ＲＦアンプ１２２では信号Ｓ１２４を増幅し、信号Ｓ１２２をアンテナ部１２１に出力する。
アンテナ部１２１では、信号Ｓ１２２に基づいて、設定された共振周波数で、図３に示す時刻コードフォーマットで標準時刻電波信号を電波修正時計３に送信し、ステップＳＴ３の処理に戻る。
電波修正時計３では、時刻信号変換装置１から送信された標準時刻電波信号に基づいて表示時刻の修正を行う。
【００５４】
以上説明したように、内部時計１５１と、標準時刻電波送信局２から送信された標準時刻電波信号を受信する受信系１１と、受信系１１が受信した標準時刻電波信号、および、設定部１４により設定されメモリ１３が記憶する、時刻コードフォーマット情報ｄ＿ｔｃｆ＿１に基づいて内部時計１５１が計時する計時時刻を修正し、内部時計１５１が計時する計時時刻、および設定部１４により設定され、メモリ１３が記憶する時刻コードフォーマット情報ｄ＿ｔｃｆ＿２に基づいて標準時刻電波信号を生成するための時刻信号Ｓ１５を生成する制御回路１５と、制御回路１５が生成した時刻信号Ｓ１５に基づいて時刻コードフォーマット情報ｄ＿ｔｃｆ＿２に応じた標準時刻電波信号を送信する送信系１２とを設けたので、標準時刻電波信号の時刻コードフォーマットを変換することができる。
【００５５】
また、受信系１１に時刻コードフォーマットに対応した共振周波数が設定可能なアンテナ部１１１を設け、送信系１２に時刻コードフォーマットに対応した共振周波数が設定可能なアンテナ部１２１を設け、制御回路１５が、アンテナ部１１１が設定された時刻コードフォーマットに対応した共振周波数をもって受信した標準時刻電波信号およびメモリ１３が記憶する時刻コードフォーマット情報ｄ＿ｔｃｆ＿１に基づいて内部時計１５１が計時する計時時刻を修正し、内部時計１５１が計時する計時時刻および設定された時刻コードフォーマットｄ＿ｔｃｆ＿２に基づいて時刻信号Ｓ１５を生成し、送信系１２が時刻信号Ｓ１５に基づいて時刻コードフォーマットｄ＿ｔｃｆ＿２に対応した共振周波数が設定されたアンテナ部１２１から標準時刻電波信号を送信するので、高効率に電波修正時計３に標準時刻信号を送信することができる。
【００５６】
例えば受信指向特性と送信指向特性が同じ方向であるコアつきの送信アンテナおよびコアつきの送信アンテナを近接して設けた場合、干渉が起こり受信性能が低下するのに比べ、本実施形態に係る送信系１２のアンテナ部１２１は、少なくとも受信系１１のアンテナ部１１１の受信指向特性と直交する送信指向特性を有するので、受信系１１の受信性能が低下することなく、標準時刻電波信号を送信することができる。
【００５７】
なお、本発明は本実施形態に限られるものではなく、任意好適な種々の変更が可能である。
本実施系形態では、例えば設定部１４により制御回路１５が制御信号ＣＴＬ１、ＣＴＬ３により共振周波数設定部１１１ｂ，１２１ｂの共振周波数を設定したが、この形態に限られるものではない。制御回路１５を介さずに直接に、共振周波数設定部１１１ｂ，１２１ｂの共振周波数を設定してもよい。
【００５８】
本実施形態では、受信系１１および送信系１２それぞれにアンテナ部１１１，１２１を設けたが、この形態に限られるものではない。例えば１つのアンテナを共用してもよい。また、受信系１１のアンテナ部１１１と、送信系１２のアンテナ部１２１を切り替えるアンテナ切り替え部を設けてもよい。こうすることで、最適な送受信状態の受信指向特性および送信指向特性を選択することができる。
【００５９】
【発明の効果】
本発明によれば、標準時刻電波信号の時刻コードフォーマットを変換できる時刻信号変換装置を提供することができる。
【図面の簡単な説明】
【図１】本発明に係る時刻信号変換装置を適用した時刻信号変換システムの一実施形態を示すブロック図である。
【図２】本実施形態に係る時刻コードフォーマットの第１具体例を説明するための図である。（ａ）は日本国のＪＪＹ局から、毎時１５分および毎時４５分以外に送信される時刻コードフォーマットを示す図である。（ｂ）は日本のＪＪＹ局から、毎時１５分および毎時４５分に送信される時刻コードフォーマットを示す図である。（ｃ）は日本のＪＪＹ局から送信される標準時刻電波信号の送信形式を示す図である。
【図３】本実施形態に係る時刻コードフォーマットの第２具体例を説明するための図である。（ａ）はドイツ国のＤＣＦ７７局から送信される時刻コードフォーマットを示す図である。（ｂ）はドイツ国のＤＣＦ７７局から送信される標準時刻電波信号の送信形式を示す図である。
【図４】本実施形態に係る時刻コードフォーマットの第３具体例を説明するための図である。（ａ）はアメリカ合衆国のＷＷＶＢ局から送信される時刻コードフォーマットを示す図である。（ｂ）はアメリカ合衆国のＷＷＶＢ局から送信される標準時刻電波信号の送信形式を示す図である。
【図５】図１に示した本発明に係る時刻信号変換装置を適用した時刻信号変換システムの動作を説明するためのフローチャートである。
【符号の説明】
１…時刻信号変換装置、２…標準時刻電波送信局、３…電波修正時計、１１…受信系、１２…送信系、１３…メモリ、１４…設定部、１５…制御回路、１５１…内部時計、１００…時刻信号変換システム、１１１…アンテナ部、１１１ａ…フェライトアンテナ部、１１１ｂ…共振周波数設定部、１１２…ＲＦ（Ｒａｄｉｏ  ｆｒｅｑｕｅｎｃｙ  ）アンプ、１１３…検波部、１２１…アンテナ部、１２２…ＲＦアンプ、１２３…発振部、１２４…変調部。
【図１】
2004354304.tif 000003
【図２】
2004354304.tif 000004
【図３】
2004354304.tif 000005
【図４】
2004354304.tif 000006
【図５】
2004354304.tif 000007